(57)【要約】【課題】  屋内に設置の親機と、屋外に設置の子機の他に、外設スピーカを設け、留守のときは、子機からの呼び出しによって、外設スピーカから犬の吠える声の擬似音を発するものがあるが、子機から「留守中です」というようなメッセージを流す場合と同様に、留守ということを知らしめる状況が窺える。本発明はこの点に鑑み、子機のスピーカや外設スピーカから、犬の吠える声を流すのではなく、子機からの呼び出しによって、犬の吠える間隔等を周期的或いはランダムに変えて屋内に設置の親機のスピーカからのみ発するようにする。【解決手段】  屋内に設置の親機と屋外に設置の子機との間で会話ができるインターホン装置において、留守モードにおける子機からの呼び出しのたびに、犬の吠える声を犬の吠える間隔や犬が吠える期間を周期的に変えて前記子機のスピーカから発することなく前記親機のスピーカから発する警報装置。【選択図】図５
2011239479.tif 000002
【特許請求の範囲】
【請求項１】
屋内に設置の親機と屋外に設置の子機との間で会話ができるインターホン装置において、留守モードにおける子機からの呼び出しのたびに、犬の吠える声を犬の吠える間隔や犬が吠える期間を周期的に変えて前記子機のスピーカから発することなく前記親機のスピーカから発することを特徴とする警報装置。
【請求項２】
屋内に設置の親機と屋外に設置の子機との間で会話ができるインターホン装置において、留守モードにおける子機からの呼び出しのたびに、犬の吠える声を犬の吠える間隔や犬が吠える期間をランダムに変えて前記子機のスピーカから発することなく前記親機のスピーカから発することを特徴とする警報装置。
【請求項３】
前記子機からの呼び出しの時刻に応じて、前記犬の吠える間隔や前記犬が吠える期間を変えて前記親機のスピーカから発することを特徴とする請求項１または２に記載の警報装置。
【発明の詳細な説明】
【技術分野】
【０００１】
本発明は、屋内に設置の親機と屋外に設置の子機との間で会話ができるインターホン装置において、留守中の防犯効果を目的とする警報装置に関する。
【背景技術】
【０００２】
屋内に設置の親機と屋外に設置の子機との間で会話ができるインターホン装置において、家屋の玄関の周囲近傍に外設スピーカを設置し、居住者が在宅のときは、子機からの呼び出しによって、居住者が親機から応答できるようにし、居住者が留守中のときは、子機からの呼び出しによって、家屋の玄関の周囲近傍に設置した外設部スピーカから、犬の吠える声の擬似音を発することにより、留守中の防犯効果を得るようにしたものがある（特許文献１参照）。
【先行技術文献】
【特許文献】
【０００３】
【特許文献１】特開２００２−１８５６２３号公報
【発明の概要】
【発明が解決しようとする課題】
【０００４】
特許文献１のものは、屋内に設置の親機と、屋外に設置の子機の他に、外設スピーカが必要となり、それに伴う配線も含めてコストアップとなる。また、居住者が留守中のときは、子機からの呼び出しによって、外設スピーカから犬の吠える声の擬似音を発するため、子機から「留守中です」というようなメッセージを流す場合と同様に、「留守です」ということを知らしめる状況が窺える。
【０００５】
このような点に鑑み本発明は、子機のスピーカや外設スピーカから、犬の吠える声を流すのではなく、留守のときは、子機からの呼び出しによって、犬の吠える声を屋内に設置の親機のスピーカから発するようにし、子機のスピーカや外設スピーカからはその擬似音を発しないようにする。これによって、訪問者は、室内から聞こえる犬の吠える声によって、家屋内に犬が居るように感じ、訪問者に家屋内への侵入を思い留まらせる効果が十分期待できるものとなり、本発明は、このような技術を提供するものである。
【課題を解決するための手段】
【０００６】
第１発明は、屋内に設置の親機と屋外に設置の子機との間で会話ができるインターホン装置において、留守モードにおける子機からの呼び出しのたびに、犬の吠える声を犬の吠える間隔や犬が吠える期間を周期的に変えて前記子機のスピーカから発することなく前記親機のスピーカから発することを特徴とする警報装置である。
【０００７】
第２発明は、屋内に設置の親機と屋外に設置の子機との間で会話ができるインターホン装置において、留守モードにおける子機からの呼び出しのたびに、犬の吠える声を犬の吠える間隔や犬が吠える期間をランダムに変えて前記子機のスピーカから発することなく前記親機のスピーカから発することを特徴とする警報装置である。
【０００８】
第３発明は、第１、２発明において、前記子機からの呼び出しの時刻に応じて、前記犬の吠える間隔や前記犬が吠える期間を変えて前記親機のスピーカから発することを特徴とする警報装置である。
【発明の効果】
【０００９】
留守モードのときは、子機からの呼び出しによって、犬の吠える声を屋内に設置の親機のスピーカから発するようにし、子機のスピーカや外設スピーカからはその犬の吠える声を発しないため、訪問者は、室内から聞こえる犬の吠える声によって、家屋内に犬が居るように感じ、訪問者に家屋内への侵入を思い留まらせることができると共に、犬の鳴き声が機械的に鳴動されていることを訪問者に悟られることが回避できるという効果を奏することができる。
【図面の簡単な説明】
【００１０】
【図１】本発明に係るインターホン装置の構成を示す説明図である。
【図２】本発明に係るインターホン装置の親機の制御部の構成図である。
【図３】本発明に係るインターホン装置の子機の制御部の構成図である。
【図４】本発明に係る留守モードの設定手順を示すフローチャートである。
【図５】本発明に係る子機の呼び出しに基づく動作を示すフローチャートである。
【発明を実施するための形態】
【００１１】
本発明は、屋内に設置の親機と屋外に設置の子機との間で会話ができるインターホン装置において、留守モードにおける子機からの呼び出しによって、犬の吠える声を前記親機のスピーカのみから発することを特徴とするものである。
【実施例１】
【００１２】
先ず、本発明に係るインターホン装置１を図に基づき説明する。インターホン装置１（別名、ドアホンとも称されるが、本発明では、これをインターホン装置１と称することとする）は、屋外に設置の子機２と屋内に設置の親機３との間で会話ができるように子機２と親機３は、有線または無線で通信可能な関係である。
【００１３】
子機２は、集合住宅や戸建て住宅等の家屋の玄関、あるいは門柱等来客が操作し易い屋外に設置される。また、親機３は、前記集合住宅や戸建て住宅等の家屋内の壁等に設置される。子機２と親機３が有線交信する接続の場合は、図１に示すように、電源と通信信号を重畳して伝送する２線ケーブル７にて電気的接続される。以下に示す実施例では、子機２と親機３が無線交信する形態について説明する。
【００１４】
親機３は、送受信部８、アンテナ８Ａ、スピーカ２１、マイクロフォン２２等を備えている。親機３の制御部３Ｔとして、図２に示すように、アンテナ８Ａで送受信する信号の送受信部８に接続したインターフェイス１５、制御部の中央処理手段としてのＣＰＵ１６、動作プログラムや各種情報を記憶するメモリ１７、子機２との通話が可能な在宅モードと留守モードを選択するモード切り替えボタン１８Ａ等を有する操作部１８、操作部１８の操作によって留守モードのとき点灯するＬＥＤ１９、送受信部８が受信した音声信号をスピーカ２１へ送りまたマイクロフォン２２が受けた音声を送受信部８へ送る通話部２０、送受信部８が受信した映像信号を復調する映像復調部２３、映像復調部２３から送られる信号によって映像を映し出すモニタ表示部２４、充電式電池５が満充電状態で点灯し充電不足状態で消灯する電池量表示ＬＥＤ２９等を備えている。
【００１５】
操作部１８は、上記のようなモード切り替えボタン１８Ａ以外に、子機２からの呼び出
し音に応答して通話するための応答ボタン１８Ｂ、子機２からの呼び出し音がない状態に
おいてＣＣＤカメラ１３で撮影した外部映像をモニタ表示部２４に映し出すためのモニタ
ボタン１８Ｃ、設定されている犬の吠える声の再生の選択ボタン１８Ｄ等、必要な機能を
備えている。
【００１６】
また、子機２は、来客が操作する呼び出しボタン１０、来客の音声をキャッチするマイクロフォン１１、親機３からの応答音声を発するスピーカ１２、訪問者を撮影するＣＣＤカメラであるカメラ１３等を備えている。子機２の制御部４Ｔとして、図３に示すように、アンテナ９Ａで送受信する信号の送受信部９に接続したインターフェイス２５、制御部の中央処理手段としてのＣＰＵ２６、プログラムや各種情報を記憶するメモリ２７、親機３が在宅モードになった状態を点灯で表示するＬＥＤ２８、送受信部９が受信した音声信号をスピーカ１２へ送り、またマイクロフォン１１が受けた音声を送受信部９へ送る通話部１４等を備えている。
【００１７】
メモリ１７には、犬の吠える声を記憶しており、これが、後述のように、モード切り替えボタン１８Ａによって留守モードになっている状態において、訪問者が呼び出しボタン１０を操作したとき、親機３のスピーカ２１から聞こえる仕組みである。この犬の吠える声は、子機２のスピーカ１２からは聞こえない状態である。メモリ１７に記憶する犬の吠える声は、実際の犬の吠える声の録音でもよく、また、擬似音でもよく、いずれの状態を含むものとする。また、メモリ１７には、犬の種類とその種ごとの犬の吠える声のパターンが記憶されている。
【００１８】
モード切り替えボタン１８Ａによって留守モードに設定したとき、発する犬の吠える声を設定する手順を図４に基づき説明する。留守モードの設定は、モード切り替えボタン１８Ａによって行なう（Ｓ１）。留守モードの設定によって、モニタ表示部２４に犬の吠える声の再生の選択画面が表示される（Ｓ２）。この表示画面上で指によって犬の吠える声の再生を押すことにより、犬の吠える声の選択となり（Ｓ３）、犬の吠える声の選択か否かがＣＰＵ１６で判定される（Ｓ４）。（Ｓ１）の時点から例えば１分などの所定時間Ｔが経過しても、犬の吠える声の再生が選択状態になっていないときは（Ｓ４のＮＯ）、ＬＥＤ１９が点灯して留守モードであることを表示し（Ｓ９）、留守モードの設定が完了する（Ｓ１０）。この状態では、犬の吠える声は、メーカからの出荷時に親機３に予め設定した犬の吠える声の状態であり、また、以下のようにして、前回任意に設定した状態であれば、その設定による犬の吠える声の状態である。
【００１９】
一方、前記所定時間Ｔ中に、犬の吠える声の選択状態となれば（Ｓ４のＹＥＳ）、モニタ表示部２４に犬の種類の選択画面が表示される（Ｓ５）。この表示画面上で指によって任意の犬の種類を選択することにより（Ｓ６）、モニタ表示部２４に選択した犬の吠える声のパターンが表示される（Ｓ７）。ここで、この表示画面上で指によって任意のパターンを選択することにより犬の吠える声が設定され、メモリ１７に記憶される（Ｓ８）。これと共に、ＬＥＤ１９が点灯して留守モードであることを表示し（Ｓ９）、留守モードの設定が完了する（Ｓ１０）。
【００２０】
このように、モード切り替えボタン１８Ａによって在宅モードの状態では、ＬＥＤ１９が消灯であるため、住人はそれを認識できる。一方、モード切り替えボタン１８Ａによって留守モードになっている状態では、ＬＥＤ１９が点灯することによって、住人はそれを認識できる。いま、留守モードにおける動作について、図５を参照して説明する。
【００２１】
図５に示すように、留守モードにおいて、訪問者が呼び出しボタン１０を操作（Ｓ１）すれば、マイクロフォン１１でピックアップした来客の音声信号と、レンズ１３Ａを通してＣＣＤカメラ１３で来客を撮影（Ｓ２）し、この映像信号が、インターフェイス２５を通して送受信部９のアンテナ９Ａから送信される。そして、音声信号は送受信部８で受信され、通話部２０にてスピーカ２１から音声となって聞こえると共に、映像信号は送受信部８で受信され、映像復調部２３で復調されてモニタ表示部２４に来客の映像が映し出される。この送信された音声信号と映像信号が、メモリ２７に記憶されると共に、親機３のアンテナ８Ａから送受信部８に受信され、メモリ１７に記憶される（Ｓ３）。そして、留守モードか否かが判定される（Ｓ４）。もし、留守モードに設定されていないときは（Ｓ４のＮＯ）、所定時間Ｔ１（図では３０秒）経過か否かが判定され（Ｓ７）、所定時間Ｔ１（図では３０秒）内に家屋内の住人が親機３の応答ボタン１８Ｂを押さなければ、この所定時間（図では３０秒）経過して終了する（Ｓ８）。
【００２２】
一方、留守モードか否かの判定において留守モードの設定状態であれば（Ｓ４のＹＥＳ）、犬の吠える声がＯＮ状態か否かが判定され（Ｓ５）、ＯＮ状態であれば（Ｓ５のＹＥＳ）、前記設定した犬の吠える声が親機３のスピーカ２１から発せられるように、ＣＰＵ１６及び通話部２０が動作する。この犬の吠える声がスピーカ２１から発せられた時から所定時間Ｔ１（図では３０秒）経過か否かが判定され（Ｓ７）、所定時間（図では３０秒）経過して終了する（Ｓ８）。このため、スピーカ２１から発せられる犬の吠える声の継続時間は、この所定時間Ｔ１（図では３０秒）である。
【００２３】
また、犬の吠える声がＯＮ状態か否かの判定において（Ｓ５）、ＯＮ状態でないときは（Ｓ５のＮＯ）、所定時間Ｔ１（図では３０秒）経過か否かが判定され（Ｓ７）、所定時間（図では３０秒）経過して終了する（Ｓ８）。
【００２４】
図５に示す上記において、呼び出しボタン１０が操作（Ｓ１）されて、留守モードに設定されていないとき（Ｓ４のＮＯ）、前記所定時間Ｔ１（図では３０秒）経過か否かが判定され（Ｓ７）、所定時間Ｔ１（図では３０秒）内に家屋内の住人が親機３の応答ボタン１８Ｂを押せば、子機２を介して訪問者と会話できるモードとなる。この場合は、図５に示すフローはその時点で進行せず停止して初期位置へ復帰すると共に、住人の音声は、マイクロフォン２２でピックアップされ、その音声信号が通話部２０を通して送受信部８のアンテナ８Ａから送信される。この送信された音声信号が、アンテナ９Ａから送受信部９に受信され、ＣＰＵ２６を通して子機２の回路へ入り、スピーカ１２が動作して子機２のスピーカ窓１２Ａから音声となって来客に聞こえる。
【００２５】
上記のように、留守モードのときは、子機２からの呼び出しによって、犬の吠える声を屋内に設置の親機３のスピーカ２１から発するようにし、子機２のスピーカ１２や外設スピーカからはその犬の吠える声を発しないため、訪問者は、室内から聞こえる犬の吠える声によって、家屋内に犬が居るように感じ、訪問者に家屋内への侵入を思い留まらせる効果を奏することができる。
【００２６】
尚、本実施例装置では、親機３と子機２とを無線で接続する構成としたが、親機３と子機２を有線で接続する構成としても良い。 又、訪問者が呼び出しボタン１０を操作する度に、犬が吠える間隔や犬が吠えている期間を周期的に或いはランダムに変える構成としても良い。例えば、ある時刻（例えば１０時）に訪問者が呼び出しボタン１０を操作すると、吠える時間３秒、無音期間２秒、吠える時間３秒・・・とするが、別の時刻（例えば１１時）に訪問者が呼び出しボタン１０を操作すると、吠える時間５秒、無音期間１秒、吠える時間５秒・・・としても良い。このような構成とすることにより、犬の鳴き声が機械的に鳴動されていることを訪問者に悟られることを回避することが可能である。
【産業上の利用可能性】
【００２７】
本発明に係るインターホン装置は、上記実施例に示した構成に限定されず、種々の形態のものに適用できるものであり、本発明の技術範囲において種々の形態を包含するものである。
【符号の説明】
【００２８】
１・・・・・インターホン装置
２・・・・・子機
２Ｔ・・・・子機の制御部
３・・・・・親機
３Ｔ・・・・親機の制御部
１６・・・・親機のＣＰＵ
１７・・・・親機のメモリ
２１・・・・親機のスピーカ
【図１】
2011239479.tif 000003
【図２】
2011239479.tif 000004
【図３】
2011239479.tif 000005
【図４】
2011239479.tif 000006
【図５】
2011239479.tif 000007